(57)【要約】【課題】洋室でも畳の座り心地を実感でき、更に、例えばホットカーペットのように表面温度を調節して足元の暖をとることができる今までにないアイデアの実用性に秀れた敷設型暖房装置を提供することを目的としている。【解決手段】畳部１の下方に暖熱敷設体５を重合配設し、この暖熱敷設体５としては、通電により発熱する発熱部を内装した本体部２０と、この本体部２０の電源のオンオフ及び発熱温度を設定するコントロール部２１とから成るものを採用し、このコントロール部２１を操作可能に露出せしめ、このコントロール部２１を操作して前記畳部１の表面温度を所定温度に設定し得るように構成した敷設型暖房装置。【選択図】　　　　図１
2004125377.tif 000002
【特許請求の範囲】
【請求項１】
床等の敷設面に敷設して使用する敷設型暖房装置であって、畳部の下方に暖熱敷設体を重合配設し、この暖熱敷設体としては、通電により発熱する発熱部を内装した本体部と、この本体部の電源のオンオフ及び発熱温度を設定するコントロール部とから成るものを採用し、このコントロール部を操作可能に露出せしめ、このコントロール部を操作して前記畳部の表面温度を所定温度に設定し得るように構成したことを特徴とする敷設型暖房装置。
【請求項２】
前記暖熱敷設体として、前記コントロール部が前記本体部の端部に固定されているものを採用したことを特徴とする請求項１記載の敷設型暖房装置。
【請求項３】
前記暖熱敷設体の下方に断熱材を重合配設したことを特徴とする請求項１，２のいずれか１項に記載の敷設型暖房装置。
【請求項４】
重合配設した前記畳部及び前記暖熱敷設体を囲繞する周枠体を設け、この周枠体で畳部と暖熱敷設体との重合状態を保持し得るように構成したことを特徴とする請求項１〜３のいずれか１項に記載の敷設型暖房装置。
【請求項５】
床等の敷設面に敷設して使用する敷設型暖房装置であって、畳部の下方に暖熱敷設体を重合配設し、この暖熱敷設体としては、通電により発熱する発熱部を内装した本体部と、この本体部の端部に固定され電源のオンオフ及び発熱温度を設定するコントロール部とから成るものを採用し、この暖熱敷設体の下方に断熱材を重合配設し、この重合配設した前記畳部，前記暖熱敷設体及び前記断熱材を囲繞する周枠体を設け、この周枠体で畳部，暖熱敷設体及び断熱材の重合状態を保持し得るように構成し、前記暖熱敷設体のコントロール部を操作可能に露出せしめ、このコントロール部を操作して前記畳部の表面温度を所定温度に設定し得るように構成したことを特徴とする敷設型暖房装置。
【請求項６】
前記周枠体にして前記暖熱敷設体の前記コントロール部が位置する部位に貫通切欠部を設け、この貫通切欠部をコントロール部が貫通して周枠体から外方へ突出するように構成したことを特徴とする請求項４，５のいずれか１項に記載の敷設型暖房装置。
【請求項７】
前記周枠体に、前記コントロール部を前記貫通切欠部に貫通させた際、この貫通したコントロール部が周枠体の外周縁から突出せずに露出してコントロール部を操作できる露出用凹部を設けたことを特徴とする請求項６記載の敷設型暖房装置。
【請求項８】
前記畳部，前記暖熱敷設体，前記断熱材及び前記周枠体を、夫々分離分解可能に構成したことを特徴とする請求項５〜７のいずれか１項に記載の敷設型暖房装置。
【請求項９】
前記周枠体を複数の枠部材で構成し、この枠部材には係合連結部を設け、この係合連結部を係合連結することで工具を用いずに前記周枠体を組み付け形成し得るように構成したことを特徴とする請求項４〜８のいずれか１項に記載の敷設型暖房装置。
【請求項１０】
前記枠部材の端部に凸部若しくは凹部を設け、前記枠部材に隣接する他の枠部材の端部に凹部若しくは凸部を設けて前記係合連結部を構成し、前記凸部と前記凹部とを嵌合係合することで、隣接する前記枠部材同志を連結して前記周枠体を組み付け形成し得るように構成したことを特徴とする請求項９記載の敷設型暖房装置。
【請求項１１】
前記畳部を、同じ形状の畳を複数並設して形成したことを特徴とする請求項１〜１０のいずれか１項に記載の敷設型暖房装置。
【請求項１２】
前記畳部として、伝導性良好な線材で縫合した畳芯材の表面に畳表を設けたものを採用したことを特徴とする請求項１〜１１のいずれか１項に記載の敷設型暖房装置。
【請求項１３】
前記伝導性良好な線材として、伝熱性良好な極細線を収束して構成したものを採用したことを特徴とする請求項１２記載の敷設型暖房装置。
【請求項１４】
床等の敷設面に敷設して使用する敷設型暖房装置であって、伝熱性良好な線材で縫合した畳芯材の表面に畳表を設けて形成した畳を複数並設して成る畳部の下方に暖熱敷設体を重合配設し、この暖熱敷設体としては、通電により発熱する発熱部を内装した本体部と、この本体部の端部に固定され電源のオンオフ及び発熱温度を設定するコントロール部とから成るものを採用し、この暖熱敷設体の下方に断熱材を重合配設し、この重合配設した畳部，暖熱敷設体及び断熱材を囲繞する周枠体を設け、この周枠体で畳部，暖熱敷設体及び断熱材の重合状態を保持し得るように構成し、この周枠体にして前記暖熱敷設体の前記コントロール部が位置する部位に貫通切欠部を設けると共に露出用凹部を設け、前記コントロール部が貫通切欠部に貫通して周枠体から外方へ突出するように構成すると共に、前記周枠体の外周縁から突出せずに露出用凹部から露出してコントロール部を操作できるように構成し、該コントロール部位を操作することで前記畳部の表面温度を所定温度に設定し得るように構成したことを特徴とする敷設型暖房装置。
【発明の詳細な説明】
【０００１】
【発明の属する技術分野】
本発明は、床等の敷設面に敷設して使用する敷設型暖房装置に関するものである。
【０００２】
【従来の技術及び発明が解決しようとする課題】
例えば、都市部において一人暮らしをする人向けに需要のあるワンルームマンションをはじめ、近年販売されているマンション，一軒家等は、洋室（フローリング部屋）が多く設けられている傾向がある。
【０００３】
この洋室は、床が木板材で形成されていることから、例えば冬にエアコンだけで過ごそうとすると、足元（即ち、床面）がなかなか暖まらない。
【０００４】
従って、床下に温水パイプを配設し、この温水パイプに温水を通過せしめて床を暖める所謂床暖房装置を設ける方法が提案されているが、これは、工事が大掛かりなものとなる為、コスト高であり且つ厄介である。
【０００５】
そこで、手軽に足元の暖を取る為に、床の上に通電により発熱する所謂ホットカーペットを敷く人が多い。
【０００６】
ところで、多くの日本人は畳独特の座り心地を好み、例えば、冬には畳の上にコタツを設置して暖をとったりする。
【０００７】
しかし、洋室においては、前述の通り、床面が木板材により形成されている為、当然ながら畳の座り心地を実感することはできない。
【０００８】
更に、例えば洋室の床面に畳を敷いただけでは、畳の座り心地を実感することができるだけで、結局のところ、前記足元が冷え易いという問題は解決されない。
【０００９】
本発明は上記問題点を解決するもので、洋室でも畳の座り心地を実感でき、更に、例えばホットカーペットのように表面温度を調節して足元の暖をとることができる今までにないアイデアの実用性に秀れた敷設型暖房装置を提供するものである。
【００１０】
【課題を解決するための手段】
添付図面を参照して本発明の要旨を説明する。
【００１１】
床等の敷設面に敷設して使用する敷設型暖房装置であって、畳部１の下方に暖熱敷設体５を重合配設し、この暖熱敷設体５としては、通電により発熱する発熱部を内装した本体部２０と、この本体部２０の電源のオンオフ及び発熱温度を設定するコントロール部２１とから成るものを採用し、このコントロール部２１を操作可能に露出せしめ、このコントロール部２１を操作して前記畳部１の表面温度を所定温度に設定し得るように構成したことを特徴とする敷設型暖房装置に係るものである。
【００１２】
また、前記暖熱敷設体５として、前記コントロール部２１が前記本体部２０の端部に固定されているものを採用したことを特徴とする請求項１記載の敷設型暖房装置に係るものである。
【００１３】
また、前記暖熱敷設体５の下方に断熱材７を重合配設したことを特徴とする請求項１，２のいずれか１項に記載の敷設型暖房装置に係るものである。
【００１４】
また、重合配設した前記畳部１及び前記暖熱敷設体５を囲繞する周枠体１２を設け、この周枠体１２で畳部１と暖熱敷設体５との重合状態を保持し得るように構成したことを特徴とする請求項１〜３のいずれか１項に記載の敷設型暖房装置に係るものである。
【００１５】
また、床等の敷設面に敷設して使用する敷設型暖房装置であって、畳部１の下方に暖熱敷設体５を重合配設し、この暖熱敷設体５としては、通電により発熱する発熱部を内装した本体部２０と、この本体部２０の端部に固定され電源のオンオフ及び発熱温度を設定するコントロール部２１とから成るものを採用し、この暖熱敷設体５の下方に断熱材７を重合配設し、この重合配設した前記畳部１，前記暖熱敷設体５及び前記断熱材７を囲繞する周枠体１２を設け、この周枠体１２で畳部１，暖熱敷設体５及び断熱材７の重合状態を保持し得るように構成し、前記暖熱敷設体５のコントロール部２１を操作可能に露出せしめ、このコントロール部２１を操作して前記畳部１の表面温度を所定温度に設定し得るように構成したことを特徴とする敷設型暖房装置に係るものである。
【００１６】
また、前記周枠体１２にして前記暖熱敷設体５の前記コントロール部２１が位置する部位に貫通切欠部１５を設け、この貫通切欠部１５をコントロール部２１が貫通して周枠体１２から外方へ突出するように構成したことを特徴とする請求項４，５のいずれか１項に記載の敷設型暖房装置に係るものである。
【００１７】
また、前記周枠体１２に、前記コントロール部２１を前記貫通切欠部１５に貫通させた際、この貫通したコントロール部２１が周枠体１２の外周縁から突出せずに露出してコントロール部２１を操作できる露出用凹部１６を設けたことを特徴とする請求項６記載の敷設型暖房装置に係るものである。
【００１８】
また、前記畳部１，前記暖熱敷設体５，前記断熱材７及び前記周枠体１２を、夫々分離分解可能に構成したことを特徴とする請求項５〜７のいずれか１項に記載の敷設型暖房装置に係るものである。
【００１９】
また、前記周枠体１２を複数の枠部材１２Ａで構成し、この枠部材１２Ａには係合連結部２２を設け、この係合連結部２２を係合連結することで工具を用いずに前記周枠体１２を組み付け形成し得るように構成したことを特徴とする請求項４〜８のいずれか１項に記載の敷設型暖房装置に係るものである。
【００２０】
また、前記枠部材１２Ａの端部に凸部３０若しくは凹部３１を設け、前記枠部材１２Ａに隣接する他の枠部材１２Ａの端部に凹部３１若しくは凸部３０を設けて前記係合連結部２２を構成し、前記凸部３０と前記凹部３１とを嵌合係合することで、隣接する前記枠部材１２Ａ同志を連結して前記周枠体１２を組み付け形成し得るように構成したことを特徴とする請求項９記載の敷設型暖房装置に係るものである。
【００２１】
また、前記畳部１を、同じ形状の畳１Ａを複数並設して形成したことを特徴とする請求項１〜１０のいずれか１項に記載の敷設型暖房装置に係るものである。
【００２２】
また、前記畳部１として、伝導性良好な線材４で縫合した畳芯材２の表面に畳表３を設けたものを採用したことを特徴とする請求項１〜１１のいずれか１項に記載の敷設型暖房装置に係るものである。
【００２３】
また、前記伝導性良好な線材４として、伝熱性良好な極細線を収束して構成したものを採用したことを特徴とする請求項１２記載の敷設型暖房装置に係るものである。
【００２４】
また、床等の敷設面に敷設して使用する敷設型暖房装置であって、伝熱性良好な線材４で縫合した畳芯材２の表面に畳表３を設けて形成した畳１Ａを複数並設して成る畳部１の下方に暖熱敷設体５を重合配設し、この暖熱敷設体５としては、通電により発熱する発熱部を内装した本体部２０と、この本体部２０の端部に固定され電源のオンオフ及び発熱温度を設定するコントロール部２１とから成るものを採用し、この暖熱敷設体５の下方に断熱材７を重合配設し、この重合配設した畳部１，暖熱敷設体５及び断熱材７を囲繞する周枠体１２を設け、この周枠体１２で畳部１，暖熱敷設体５及び断熱材７の重合状態を保持し得るように構成し、この周枠体１２にして前記暖熱敷設体５の前記コントロール部２１が位置する部位に貫通切欠部１５を設けると共に露出用凹部１６を設け、前記コントロール部２１が貫通切欠部１５に貫通して周枠体１２から外方へ突出するように構成すると共に、前記周枠体１２の外周縁から突出せずに露出用凹部１６から露出してコントロール部２１を操作できるように構成し、該コントロール部位２１を操作することで前記畳部１の表面温度を所定温度に設定し得るように構成したことを特徴とする敷設型暖房装置に係るものである。
【００２５】
【発明の実施の形態】
好適と考える本発明の実施の形態（発明をどのように実施するか）を、図面に基づいてその作用効果を示して説明する。
【００２６】
例えば、市販されているホットカーペットのように床暖房したい部位（足元の暖をとりたい部位）、例えば洋室の床面の一部に本発明の敷設型暖房装置を敷設する。
【００２７】
そして、例えば市販されているホットカーペットのように露出しているコントロール部２１を操作し、暖熱敷設体５の本体部２０に内装された発熱部を通電により発熱させると、本体部２０が温度上昇し、これにより、本体部２０の上方に重合されている畳部１が温められてこの畳部１上で暖をとれることとなる。
【００２８】
また、コントロール部２１を操作して本体部２０に内装した発熱部を任意の温度に発熱させると、この本体部２０の上方に重合されている畳部１の表面温度も任意の温度に上昇及び降下させることができ、これにより、畳部１の表面部を快適な温度に設定してこの畳部１上で快適に暖をとれることとなる。
【００２９】
しかも、本発明の敷設型暖房装置は、畳部１の畳１Ａ上に着座し得る為、畳の座り心地を実感しつつ暖をとれることとなる。
【００３０】
従って、本発明は、所謂、例えばホットカーペットのように床暖房をしたい部位（足元の暖をとりたい部位）に簡単且つ任意に敷設して例えばホットカーペットのような簡単な操作で快適な温度に設定して快適に足元の暖をとることができ、しかも、畳の表面部の温度を任意に上昇させることができる為、畳の着座感を実感しつつ快適に足元の暖をとることができる画期的な敷設型暖房装置、言い換えると手軽に快適な床暖房と畳の着座感との双方を実感できる敷設型暖房装置となる。
【００３１】
【実施例】
図面は本発明の一実施例を図示したものであり、以下に説明する。
【００３２】
本実施例の敷設型暖房装置は、洋室（フローリング部屋）の床面（敷設面）の一部に、畳部１，暖熱敷設体５及び断熱材７を重合配設し、この畳部１，暖熱敷設体５及び断熱材７の周囲を後述する周枠体１２で囲繞して成るものである。
【００３３】
畳部１は、図１に図示したように、正方形状の畳１Ａを四枚並設することで正方形状に形成されている。
【００３４】
畳１Ａは、伝熱性良好な線材４で縫合された畳芯材２の表面に畳表３が設けられた構成である。
【００３５】
畳芯材２は、木材チップから成る木質繊維板や葦などの一般に畳芯材として使用される素材が畳芯主層９として設けられており、この畳芯主層９の上側には薄いベニア合板１０が設けられ、下側には裏地シート１１が設けられているものである。尚、図示していないが、ベニア合板１０の上側には畳１のクッション性を高めるための不織布が設けられている。
【００３６】
この畳芯材２の各部材を縫合せしめる線材４は、直径１８０μｍ程度の銅製若しくはアルミ製の極細線を複数本収束せしめ且つ撚ったものを採用している。
【００３７】
また、畳表３は一般に使用されているもの（い草を編んだもの等）を採用している。
【００３８】
畳部１の下方には暖熱敷設体５を重合配設している。
【００３９】
この暖熱敷設体５としては、通電により発熱する発熱部を内装した前記本体部２０となるカーペット部２０と、このカーペット部２０の端部にして角部に固定され電源のオンオフ及び前記発熱部の発熱温度を設定するコントロール部２１とから成る市販のホットカーペットを採用している。
【００４０】
また、ホットカーペット５は畳部１と略同形状のものを採用している。
【００４１】
また、ホットカーペット５は、折り畳んで収納運搬することができるホットカーペットを採用している。
【００４２】
また、コントロール部２１には、コントロール部２１及び発熱部に電気を供給する為の電源コード１７及び電源端子１８を設けている。
【００４３】
ホットカーペット５の下方には断熱材７を重合配設している。
【００４４】
この断熱材７は、畳部１及びホットカーペット５と略同形状に設定している。
【００４５】
この断熱材７はホットカーペット５の熱によって床面が痛まないように所定の厚さを有している。
【００４６】
また、断熱材７は、洋室の床面に対して滑りにくい素材を採用すると良い。
【００４７】
畳部１，ホットカーペット５及び断熱材７の外周縁には、この畳部１，ホットカーペット５及び断熱材７を囲繞するように、木製の周枠体１２を設けた構成としている。
【００４８】
従って、周枠体１２は、畳部１，ホットカーペット５及び断熱材７の外周縁に当接し、この畳部１，ホットカーペット５及び断熱材７の重合状態を保持する。
【００４９】
また、この周枠体１２にして前記ホットカーペット５のコントロール部２１が位置する部位、即ち角部には、前記コントロール部２１が貫通して周枠体１２の内側から外側へ突出する為の貫通切欠部１５を設けている。
【００５０】
具体的には、この貫通切欠部１５は、周枠体１２の角部をこの周枠体１２の内側から外側に向けて、コントロール部２１の断面形状と略同じ断面形状（断面コ字形状）に切り欠いて形成している。
【００５１】
この貫通切欠部１５を設けた周枠体１２の平面から見て外縁部には、前記貫通切欠部１５を貫通したコントロール部２１が周枠体１２のおおよその外周縁線から突出せずに露出してコントロール部２１が操作可能となる露出用凹部１６を設けている。
【００５２】
この露出用凹部１６は、周枠体１２の貫通切欠部１５の形成部位において、この周枠体１２の平面から見て外側部を切り欠いてコントロール部２１の上面が半分以上露出するように形成している。
【００５３】
この露出用凹部１６は、周枠体１２を略半分の巾まで切削加工等により薄くすることで形成している。
【００５４】
また、この露出用凹部１６は、平面から見て略コ字形状の凹部となるように形成している。尚、この際、露出用凹部１６の端部を緩やかに湾曲させた形状としても良い。
【００５５】
また、周枠体１２は、貫通切欠部１５にコントロール部２１を貫通し、このコントロール部２１の上面を露出用凹部１６から露出させた際、コントロール部２１の先端が周枠体１２の外周縁（コントロール部２１が存在しない部分の外周縁）と略面一となるように構成している。
【００５６】
周枠体１２の内方面にして貫通切欠部１５の周囲には、前記貫通切欠部１５及び前記露出用凹部１６を形成することで細くなった周枠体１２を補強する為の補強体１３を添設している。
【００５７】
この補強体１３は、周枠体１２の上下巾（厚さ）よりも巾狭で、前記貫通切欠部１５を形成した周枠体１２の周辺部近傍に略合致する形状の金属製板で構成し、この金属製板の両端部をボルトにより周枠体１２に螺着固定することで、周枠体１２の前記貫通切欠部１５及び露出用凹部１６の形成部位を補強している。
【００５８】
前記周枠体１２は、角材状の枠部材１２Ａの端部同志をつなぎ合わせることで前記枠部材１２Ａを複数連結して成る構成とし、この枠部材１２Ａには、嵌合係合することで前記畳部１，ホットカーペット５及び前記断熱材７の周囲を囲繞する周枠体１２を形成し得る係合連結部２２を設けた構成としている。尚、図８は、周枠体１２角部における組み付け構造を示した要部の拡大説明断面図である。
【００５９】
この係合連結部２２は、前記枠部材１２Ａの端部に凸部３０若しくは凹部３１を設け、前記枠部材１２Ａに隣接する他の枠部材１２Ａの端部に凹部３１若しくは凸部３０を設けて成る構成とし、前記凸部３０と前記凹部３１とを嵌合係合することで、隣接する前記枠部材１２Ａ同志を連結して前記周枠体１２を形成し得るように構成している。
【００６０】
本実施例では、枠部材１２Ａの一端部に凸部３０を設け、この枠部材１２Ａの他端部に凹部３１を設けた構成とし、この枠部材１２Ａの一端部の凸部３０を、隣接する他の枠部材１２Ａの他端部に設けた凹部３１に挿入嵌合することで、前記枠部材１２Ａとこの枠部材１２に隣接する他の枠部材１２Ａとを連結した構成としている（図８参照）。
【００６１】
本実施例の凸部３０は、枠部材１２Ａの一端部に突設した連結板３２と、この連結板３２上に配設される突出体３０Ａとから成る。
【００６２】
具体的には、枠部材１２Ａ一端部の下面部に前記連結板３２を突設し、この枠部材１２Ａの一端から突出した連結板３２上に突出体３０Ａを連設した構成としている。
【００６３】
即ち、突出体３０Ａは、枠部材１２Ａの一端から所定長さ離れた位置に設けた構成としている。
【００６４】
また、突出体３０Ａは円柱状に形成した構成としている。
【００６５】
また、連結板３２は、枠部材１２Ａの一端部の下面部に設けられ前記連結板３２を係合し得る係合溝１９に係合され、ボルト等の固定手段３５で固定して突設した構成としている。
【００６６】
一方、本実施例の凹部３１は、枠部材１２Ａの他端部に前記突出体３０Ａに嵌合し得る嵌合孔３１Ａを設けて成る構成としている。
【００６７】
具体的には、枠部材１２Ａ他端部の下面部に、前記突出体３０Ａが嵌合し得る形状の嵌合孔３１Ａを設けた構成としている。
【００６８】
この嵌合孔３１Ａは、連結板３２上に連設した突出体３０Ａを十分に嵌合し得る深さに形成された構成としている。
【００６９】
また、嵌合孔３１Ａの近傍には、突出体３０Ａを連結した連結板３２が嵌合し得る嵌合溝３３を設けた構成とし、枠部材１２Ａ同志を連結した際には、突出体３０Ａが前記嵌合孔３１Ａに嵌合すると共に、連結板３２が前記嵌合溝３３に嵌合する構成としている。これにより、枠部材１２Ａ同志を連結した際には、この枠部材１２Ａ同志を同じ高さで、即ち、段差部を生じることなく連結することができる。
【００７０】
嵌合孔３１Ａの孔縁部には、この嵌合孔３１Ａに突出体３０Ａを挿入嵌合する際、突出体３０Ａを嵌合孔３１Ａ内にスライドガイドするテーパ面３４を設けた構成としている。これにより、枠部材１２Ａ同志を連結する際に、多少無造作に嵌合孔３１Ａに対して突出体３０Ａを挿入しても、突出体３０Ａは前記テーパ面３４によって嵌合孔３１Ａ内にガイドされて挿入されて嵌合するため、枠部材１２Ａを連結して周枠体１２を形成する作業を極めて容易且つスピィーディに行うことができる。
【００７１】
尚、貫通切欠部１５及び露出用凹部１６を形成した枠部材１２Ａの端部、即ち、貫通切欠部１５及び露出用凹部１６を形成しない枠部材１２Ａの端部よりも肉薄なコントロール部２１近傍の枠部材１２Ａの端部に隣接する枠部材１２Ａの端部内側面部には、前記貫通切欠部１５及び露出用凹部１６を形成した枠部材１２Ａの端部を係合するための係合溝（図示省略）を設けている。
【００７２】
また、本実施例では、枠部材１２Ａの端部に連結板３２を介して突出体３０Ａを配設した構成としたが、枠部材１２Ａの一端を切削加工することで前記枠部材１２Ａに直接突出体を形成した構成としても良い。
【００７３】
また、枠部材の端部に凸条部若しくは凹条部を設け、前記枠部材に隣接する他の枠部材の端部に凹条部若しくは凸条部を設けて連結継合部を構成し、前記凸条部と前記凹条部とを嵌合することで、隣接する前記枠部材同志を連結して前記周枠体を形成し得るように構成しても良い。
【００７４】
また、前記畳部１，ホットカーペット５，断熱材７及び周枠体１２はドライバー等の工具を用いて夫々分離分解できるように構成しても良い。
【００７５】
尚、図中符号２５はスリッパである。
【００７６】
本実施例によれば、予め組み立てられた状態（周枠体１２の内部に畳部１，ホットカーペット５及び断熱材７を重合した状態）の敷設型暖房装置を洋室の床面の一部に載置するだけで、この洋室の床面に簡単に設置することができる。
【００７７】
続いて、コントロール部２１に設けた電源端子１８を部屋の電源供給部に差し込み、コントロール部２１を操作すると、カーペット部２０に内装された発熱部が発熱し、カーペット部２０が所定温度に温まることとなる。
【００７８】
カーペット部２０が所定温度に温まることで、このカーペット部２０の熱が畳部１の畳芯材２を縫合した線材４により、畳部１の表面部に伝えられ、畳部１の表面温度が所定温度に上昇することとなる。
【００７９】
また、コントロール部２１を操作することで、畳部１の表面温度を所望する温度に設定できることとなる。
【００８０】
本実施例は上述のように構成したから、予め組み立てられた状態の敷設型暖房装置を足元の暖をとりたい洋室の床面の一部に設置するだけで厄介な工事等を行わなくとも簡単に本実施例の敷設型暖房装置を設置することができ、よって、暖をとりたいと思うところに簡単に設置して足元の暖をとることができる。
【００８１】
しかも、畳上で暖をとれる為、洋室（フローリング部屋）で畳の着座感を味わいながら足元の暖をとることができる。
【００８２】
即ち、本実施例は、畳部１，ホットカーペット５及び断熱材７を重合配設し、この畳部１，ホットカーペット５及び断熱材７の外周縁に周枠体１２を取り付けた簡易な構成の敷設型暖房装置を、洋室の床面の暖をとりたい所に単に設置するだけで、足元の暖をとることができるため、従来の床暖房装置のように、床面に大掛かりな施工を施すことなく、ホットカーペットを敷く感覚で簡単に施工することができる。
【００８３】
また、本実施例の敷設型暖房装置は、床面全面に施されるのではなく、足元の暖をとりたい部位に敷設してこの暖をとりたい部位だけを暖めることができる為、電力コスト安となる。
【００８４】
また、コントロール部２１の操作により、ホットカーペットのように、畳部１の表面部の温度を所望の温度に設定できる為、畳部１の表面温度を快適な温度に設定して快適な温度で暖をとることができる。
【００８５】
また、ホットカーペットのように、単にコントロール部２１を畳部１の表面温度が所望する温度になるように操作するだけで、前記所望する温度に設定できる為、簡単な操作により快適な温度で畳部１上で暖をとることができる。
【００８６】
また、ホットカーペット５のカーペット部２０を３００Ｋ（摂氏２７℃）に上昇させると、遠赤外線が発生し始める為、カーペット部２０に内装した発熱部から発生する熱と遠赤外線とにより、一層良好に足元の暖をとることができる。
【００８７】
また、ホットカーペット５の下方に断熱材７を重合配設した為、通電により発熱したカーペット部２０の熱が下方、即ち、床面側に放熱されず、ホットカーペット５の上方、即ち、畳部１に良好に伝達されることになる為、極めて効率良く床暖房することができる。
【００８８】
また、カーペット部２０から発生する熱は前記断熱材７によって遮られて床面に伝わらない為、洋室（フローリング部屋）の床面で本実施例の敷設型暖房装置を長期間使用し続けても、この洋室の床面を傷めることがない。
【００８９】
また、この断熱材７は厚みを有している為、吸音，吸振作用も発揮することができ、これにより、畳部１上で生じた音や振動が洋室の床面若しくは床面下に伝わることがない。
【００９０】
また、厚さを有する断熱材７と、この断熱材７と同様に厚さを有する畳部１とをホットカーペット５を介して重合配設していることから、本実施例の敷設型暖房装置は、この敷設型暖房装置を敷設した床面に対して高さ（段差）を有した状態で敷設できる為、洋室の床面の中に畳床面を段差を介して設けることができる。
【００９１】
即ち、洋室内でスリッパ２５を履いていても、畳部１上に載る際には、前記段差でスリッパを脱ごうとする意識が高まる為、洋室に居ながらにして和室に入るような気分でスリッパ２５を脱ぎ畳部１上に載ることができる。例えば、洋室の床面の一部に畳の替わりにゴザを敷いた場合、このゴザには高さがない為、床面にホットカーペットを敷設するのと別段異なる印象を実感しづらく、故に洋室でスリッパを履いていた際には、思わずスリッパを履いたままゴザの上に載ってしまいかねない。この点、本実施例は前述のように、洋室の床面に対して著しい段差を形成しており、洋室の床面と畳部１とがはっきり区分けされている為、スリッパ２５を履いたまま畳部１に載ってしまうようなことはない。
【００９２】
また、畳部１を形成する畳１Ａは、畳芯材２が伝導性良好な線材４によって縫合せしめられたものであるから、カーペット部２０に内装した発熱部から発生した熱が線材４を介して良好に畳表３側（畳部１表面部）へ伝達されることとなり、これにより、ホットカーペット５を畳部１の下方に配置しても、省電力で良好に床暖房することができる電力コスト安な実用性に秀れた敷設型暖房装置となる。
【００９３】
また、線材４は極細線を収束して成るものであるから、畳部１に着座すると線材４は容易に押し潰されて着座者にこの線材４が違和感となって伝わることがなく、また、線材４が押し潰されるとこの線材４（極細線）が広がり、それだけ放射面が広くなって伝熱性が良好となる。
【００９４】
また、畳部１は、同じ形状，大きさの畳１Ａを四枚並設することで形成されている為、通常和室に敷設する畳のように、部屋の寸法に合わせて夫々個別に形成されている畳と異なり、古くなった畳表３を簡単に交換することができる為、この畳表３の交換を極めて容易かつコスト安に行うことができる。
【００９５】
また、本実施例の敷設型暖房装置は、ホットカーペット５の上方にホットカーペット５と略同形状の畳部１を重合配設している為、畳部１に掛かる荷重がホットカーペット５のカーペット部２０の一点に集中してしまうことがなく、従って、畳部１上に掛かる荷重でカーペット部２０に内装された発熱部が傷むことがなく、よって、ホットカーペット５を長期間良好に使用し続けることができる。
【００９６】
また、畳部１，ホットカーペット５及び断熱材７の外周縁には、この畳部１，ホットカーペット５及び断熱材７の重合状態を保持する周枠体１２を設けた為、重合した畳部１，ホットカーペット５及び断熱材７が位置ずれせずに、足元の暖をとりたいところに良好に敷設することができる。
【００９７】
また、周枠体１２を設けることで、洋室の床面と畳部１との段差をよりはっきりと区分けできる為、洋室の中に和室を設けたような印象をより強く与えることができる。
【００９８】
また、周枠体１２にしてコントロール部２１が位置する部位に貫通切欠部１５を設けた為、コントロール部２１がカーペット部２０から突出しているものが多い市販のホットカーペットであっても、このホットカーペット５の外周縁に周枠体１２を良好に当接し且つコントロール部２１が周枠体１２から突出して露出することになる為、運搬が容易で温度操作もし易いことになる。
【００９９】
また、周枠体１２にして貫通切欠部１５を形成した部位には、コントロール部２１を周枠体１２の外周縁から突出させずに露出して操作可能にする露出用凹部１６を設けた為、コントロール部２１の操作はより一層良好に行うことができる。また、コントロール部２１が周枠体１２の外周縁から突出しない為、このコントロール部２１に足を引っかけたり、ものがぶつかったりする懸念がなく、コントロール部２１が破損する懸念もなくなる。
【０１００】
また、周枠体１２にして貫通切欠部１５及び露出用凹部１６を形成した部位には、金属製の補強体１３を設けた為、貫通切欠部１５及び露出用凹部１６を形成することで周枠体１２が細くなっても、秀れた強度を発揮することができる。
【０１０１】
また、ドライバー等の工具を用いることなく前記係合連結部２２を単に連結するだけで前記枠部材１２Ａ同志を連結でき、これにより、前記畳部１，前記ホットカーペット部５及び断熱材７の周囲を囲繞する周枠体１２を簡単に組み付け形成でき、よって、秀れた施工作業性を発揮することができる。
【０１０２】
尚、本実施例では、通電発熱体５となるホットカーペット５として、コントロール部２１をカーペット部２０の端部に固定した市販のホットカーペットを採用したが、カーペット部に対してコントロール部２１を着脱自在に構成したホットカーペットを採用しても良いし、カーペット部とコントロール部とを分離させた構成としてこのコントロール部の遠隔操作によりカーペット部の温度を上昇せしめられるように構成したホットカーペットを採用しても良い。
【０１０３】
図５は本実施例の別例で、周枠体１２の上部内壁に畳部１の上面周縁部を覆う覆鍔部２３を繞設した場合である。
【０１０４】
この別例によれば、覆鍔部２３の覆い作用により、畳部１が周枠体１２から抜け出ること、畳部１が熱により湾曲してはね上がり形状となることが防止される。
【０１０５】
また、覆鍔部２３により、経年劣化によって畳部１が縮んだ際に発生してしまう畳部１と周枠体１２との隙間を隠蔽することができ、体裁も良好となる。
【０１０６】
次に、本実施例の実験例を示す。
【０１０７】
実験例
本実験例では、本実施例の敷設型暖房装置の経時による種々の部位の温度変化を測定した。
【０１０８】
実験場所は、進展工業株式会社の休憩室（オープンスペース）にて、６月２６日午前１０時３０分から実施した。
【０１０９】
試験畳は、進展工業株式会社製の小春日和（２５−Ｗ）３０ｍｍ表付（綾織）を採用した。
【０１１０】
また、この試験畳は、厚さが３０ｍｍのものを採用した。
【０１１１】
この試験畳の下方には、日本電熱株式会社（ＮＥＯＴ）製のホットカーペットＫＭ−２０（１００Ｖ，５００Ｗ）を重合配設した。
【０１１２】
また、このホットカーペットは、厚さが７ｍｍのものを採用した。
【０１１３】
また、このホットカーペットの下方には、断熱材７としてインシュレーションボードを二枚重合配設した。
【０１１４】
このインシュレーションボードの厚さは、一枚当たり１０ｍｍに設定した。
【０１１５】
各部位の温度は５分毎に測定し、９０分間測定を行った。
【０１１６】
また、温度測定箇所は各畳の中央部に設定し、サーモガンにより測定した。
【０１１７】
尚、実験時の室温は、２１．５℃乃至２２．５℃であった。
【０１１８】
【表１】
2004125377.tif 000003
【０１１９】
尚、図７は表１の数値をグラフ化したものである。また、図７中のヒータとはホットカーペットの表面を示し、ボードとは、インシュレーションボードを示している。
【０１２０】
表１，図７によれば、測定開始から１０分後には、ヒータの表面の温度が２２℃上昇して４５℃となり、このヒータ表面の温度上昇に伴って畳表面が１℃上昇していることが確認された。
【０１２１】
従って、ヒータの温度上昇に伴って畳の表面が良好に上昇するといえる。
【０１２２】
また、測定開始から３０分後には、畳の表面の温度が遠赤外線をより良好に発生し始める温度、即ち、２７℃（３００Ｋ）まで上昇することが確認された。
【０１２３】
従って、測定開始からわずか３０分後には、良好に足元の暖をとれる温度まで上昇させることができるといえる。
【０１２４】
一方、断熱材であるインシュレーションボードの表面は、測定開始から３０分付近まで温度上昇を続けるが、それ以降は横ばいとなり、測定開始から９０分後においても、インシュレーションボードの表面は３６℃までしか上がらないことが確認された。
【０１２５】
また、インシュレーションボードの裏面、即ち、部屋の床面との接地面にあっては、測定開始から９０分が経過しても、２６℃までしか温度上昇しないことが確認された。尚、インシュレーションボードの裏面の最高温度は、測定開始から６０分後の２８℃であった。
【０１２６】
従って、ホットカーペットの熱をインシュレーションボードが良好に遮断しているといえる。即ち、測定開始から９０分が経っても、インシュレーションボードと部屋の床面との接触面が２６℃までしか上昇しない為、ホットカーペットの温度上昇により部屋の床面を傷めることはないといえる。
【０１２７】
【発明の効果】
本発明は上述のように構成したから、例えばホットカーペットのような感覚で床暖房をしたい部位（足元の暖をとりたい部位）に簡単に敷設することができ、例えばホットカーペットのような感覚で簡単な操作で快適な温度に設定して快適に足元の暖をとることができ、しかも、畳の表面部の温度が上昇する為、畳の着座感を実感しつつ快適に足元の暖をとることができる実用性に秀れた敷設型暖房装置となる。
【０１２８】
即ち、畳部の下方に、コントロール部の操作により所定温度に発熱する本体部を重合し、このコントロール部の操作により本体部を所定温度に発熱させることで畳部の表面温度を所定温度に設定できる為、例えばホットカーペットのような簡単な操作で快適に畳上で暖をとることができる実用性に秀れた敷設型暖房装置となる。
【０１２９】
また、足元の暖をとりたい敷設面に単に敷設するだけで床暖房装置を施工できるため、例えばホットカーペットを敷く感覚で簡単に施工することができる実用性に秀れた敷設型暖房装置となる。
【０１３０】
また、請求項３記載の発明においては、通電により発熱する本体部の熱が下方、即ち、床面側に放熱されず、暖熱敷設体に重合配設する畳部に良好に伝わる為、より効率良く畳部を温めることができる。
【０１３１】
また、畳部を温める為の暖熱敷設体の熱は前記断熱材により遮られて洋室の床面に伝わらない為、洋室の床面で長い間使用し続けても、洋室の床面が傷むことがない。
【０１３２】
また、この断熱材は所定厚に形成されている為、吸音，吸振作用も発揮することができ、これにより、畳部上で生じる音や振動が洋室の床面に伝わることがない実用性に秀れた敷設型暖房装置となる。
【０１３３】
また、請求項４記載の発明においては、畳部と暖熱敷設体とを位置ずれすることなく設置することができ、また、畳部と暖熱敷設体とをすっきりとまとまった状態で設置できる実用性に秀れた敷設型暖房装置となる。
【０１３４】
また、請求項６記載の発明においては、暖熱敷設体のコントロール部が畳部，暖熱敷設体及び断熱材の外周縁への周枠体の当接を妨げることがない為、該畳部，暖熱敷設体及び断熱材の外周縁部に前記枠体を良好に当接して配設することができ、しかも周枠体から貫通して突出するコントロール部を操作することで簡単に温度調節等を行える実用性に秀れた敷設型暖房装置となる。
【０１３５】
また、請求項７記載の発明においては、畳部，暖熱敷設体及び断熱材を囲繞する周枠体を設けても、コントロール部を周枠体の外周縁から突出させずに露出させて操作することができる為、露出するコントロール部につまづいたりすることもなくなる実用性に秀れた敷設型暖房装置となる。
【０１３６】
また、請求項８記載の発明においては、畳部，暖熱敷設体，断熱材及び周枠体をコンパクトな状態にできるため、秀れた運搬性，収納性を発揮する敷設型暖房装置となる。
【０１３７】
また、請求項９記載の発明においては、ドライバー等の工具を用いることなく前記係合連結部を単に連結するだけで前記枠部材同志を連結でき、これにより、前記畳部，前記通電発熱体部及び断熱材の周囲を囲繞する周枠体を簡単に組み付け形成できる実用性，施工作業性に秀れた敷設暖房装置となる。
【０１３８】
また、請求項１０記載の発明においては、係合連結部を簡易に形成でき、これにより、嵌合係合するだけで周枠体を形成し得る枠部材を簡易に設計実現して前記周枠体を一層簡単に組み付け形成することができる実用性に秀れた敷設型暖房装置となる。
【０１３９】
また、請求項１１記載の発明においては、夫々の畳が全て同じ寸法で形成することもできる為、従来のような部屋の寸法に合わせて作られていた畳に比して簡易且つコスト安に古くなった畳表の取り替えを行うことができる実用性に秀れた画期的な敷設型暖房装置となる。
【０１４０】
また、請求項１２記載の発明においては、畳部の下方に重合される暖熱敷設体を発熱させた際、この本体部の熱を線材によって畳部の表面部（畳表の下部）に良好に伝えることができ、これにより、畳部の表面部を良好に所定温度に温めることができる実用性に秀れた敷設型暖房装置となる。
【０１４１】
また、請求項１３記載の発明においては、畳に着座すると線材は容易に押し潰されて着座者に該線材が違和感となって伝わることがなく、また、線材が押し潰されると該線材（極細線）が広がり、それだけ放射面が広くなって伝熱性が良好となり、且つ畳の着座感が良好に発揮される実用性に秀れた敷設型暖房装置となる。
【図面の簡単な説明】
【図１】本実施例の使用状態を示す説明斜視図である。
【図２】本実施例の畳，ホットカーペット及び断熱材を重合配設した状態を示す説明斜視図である。
【図３】本実施例の畳，ホットカーペット及び断熱材の説明断面図である。
【図４】本実施例の周枠体にして貫通切欠部及び露出用凹部を示す説明斜視図である。
【図５】本実施例の別例の説明側断面図である。
【図６】本実験例で使用した敷設型暖房装置を示す断面図である。
【図７】本実験例の経時による敷設型暖房装置の各部位の温度変化を示すグラフである。
【図８】本実施例の周枠体角部の組み付け構造を示す拡大説明断面図である。
【符号の説明】
１　畳部
１Ａ　畳
２　畳芯材
３　畳表
４　線材
５　暖熱敷設体
７　断熱材
１２　周枠体
１２Ａ　枠部材
１５　貫通切欠部
１６　露出用凹部
２０　本体部
２１　コントロール部
２２　係合連結部
３０　凸部
３１　凹部
【図１】
2004125377.tif 000004
【図２】
2004125377.tif 000005
【図３】
2004125377.tif 000006
【図４】
2004125377.tif 000007
【図５】
2004125377.tif 000008
【図６】
2004125377.tif 000009
【図７】
2004125377.tif 000010
【図８】
2004125377.tif 000011